(57)【要約】      （修正有）【課題】  現在多く使用されている防犯機、及び、警報機は、それらは紐つき、又はスイッチ付でポケット、又は、身の回りの近くにもち、非常時にはそれを活用するのに手間とそれをとりだし、紐を引くなりしてスイッチを押すなりし、又、何処に在るかさえ迷うケースもある。【解決手段】  ランドセルの帯びたいの表面に接触板を初めとする必要部分を面テープで取りつけて置き、非常時の時にそれを握ると握った力がスイッチ役の支持棒に伝わりそれが降り電磁石の板に接着し、スイッチが入り肉声が再生される（助けて痴漢と発する）これにより救助を広範囲に渡り助けを求める事が出来る、この様に動作が迅速に出来るので便利である。【選択図】    図１
2007012011.tif 000002
【特許請求の範囲】
【請求項１】
絶縁体及び加工がし易く頑丈な物質の材質で出来ている板状である、踏み板、接触板、の裏には電導性の優れた物質の板を貼り合わせて一体となつている、その裏面には縦に上下する数本のバネを巻いた、又は（それに相当する反発力を有する物体）必要とする長さ、太さ、強さ等を有する支持棒（又は板と同等）と結合し一体をなしている。その下には支持棒のバネの底辺を固定し、支持棒が上下するに必要とする相当の大きさの穴を有している板が有り。この板と支持棒の板とが結ばれて一体になっている又、穴を有する板と電磁石板との両者の末端部分に絶縁体の物で結合している。上下をする支持棒はスイチ役も兼ねており、電源、スイッチが設けられている。常時本スイッチが入で電流が流れ電磁磁石になっている板が在る、支持棒には電流が流れるように配線をしており、踏み板、接触板に力が掛かると支持棒が下がり電磁石の面」に接着し、スイッチが入りその電流は再生機（事前に再生ができる状態に設置をしている）に流れて、（例  助けてと言う）肉声を再生する。本電源のスイッチを切りにしない限り、電磁磁石の働きで支持棒を引着しているので再生を続行するこれらの音声のボリュームを最大限にする事により広範囲にわたり救助を求める事ができる物体である、、その形状を必要に応じ性能、機能を変えることができる物である、支持棒と電磁石の隙間は踏み板、接触板に力を加えない限り電磁石に接着しない様に出来ている、これは軽量、数個に部分解分、携帯化にすることもできる。
【発明の詳細な説明】
【技術分野】
【０００１】  絶縁体及び加工がし易く頑丈な物質の材質で出来ている板状である、踏み板、接触板、の裏には電導性の優れた物質の板を貼り合わせて一体となつている、その裏面には縦に上下する数本のバネを巻いた、又は（それに相当する反発力を有する物体）必要とする長さ、太さ、強さ等を有する支持棒（又は板と同等）と結合し一体をなしている。その下には支持棒のバネの底辺を固定し、支持棒が上下するに必要とする相当の大きさの穴を有している板が有り。この板と支持棒の板とが結ばれて一体になっている又、穴を有する板と電磁石板との両者の末端部分に絶縁体の物で結合している。上下をする支持棒はスイチ役も兼ねており、電源、スイッチが設けられている。常時本スイッチが入で電流が流れ電磁磁石になっている板が在る、支持棒には電流が流れるように配線をしており、踏み板、接触板に力が掛かると支持棒が下がり電磁石の面」に接着し、スイッチが入りその電流は再生機（事前に再生ができる状態に設置をしている）に流れて、（例  助けてと言う）肉声を再生する。本電源のスイッチを切りにしない限り、電磁磁石の働きで支持棒を引着しているので再生を続行するこれらの音声のボリュームを最大限にする事により広範囲にわたり救助を求める事ができる物体である、、その形状を必要に応じ性能、機能を変えることができる物である、支持棒と電磁石の隙間は踏み板、接触板に力を加えない限り電磁石に接着しない様に出来ている、これは軽量、数個に部分解分、携帯化にすることもできる。
［肯景技術］【０００２】  持ち運び、移動設置、接触、押さえ、等に力を加て警報機本体及び、それに付属する物体から再生された肉声で救助を知らせる機能のある携帯可能で軽量の防犯機、及び、警報機は見受けられないのが現状であると思う。現在多く使用されている、それらは紐つき、又はスイッチ付でポケット又は身の回りの近くにもち、非常時にはそれを活用するのに手間とそれを取り出して紐を引くなり、スイッチを押すなりし、又、何処に在るかさえ迷うケースもある。またボール状で目的に向かって投げて当たるとそれに着色する方法。又最近は鉄砲型で目的に向かい発射し目的にあたると着色する方法があるがそれは只当たる確率が高いだけで、常時発射できる姿勢を持っていなくてはいけないので、それは少し不自然の姿勢である、ので使いにくい又、時と場合によっては悪用されることもありうる、いろいろな方法の防犯装置は存在するが、肉声の救助を発する物はないと思う。この様な不便さ、非常時に直ちに活用出来る、何か良い方法がないかと思考工夫をしたのが本発明である。
この件を使用する事により（例）ランドセルの帯びたいの表面に接触板を初めとする必要部分を面テープで取りつけて置き、非常時の時にそれを握ると握った力がスイッチ役の支持棒に伝わりそれが降り電磁石の板に接着し、スイッチが入り肉声が再生される（助けて痴漢と発する）これにより救助を広範囲に渡り求めることができるこの様に動作が迅速に出来るので便利である
［発明の開示］
［発明が解決しようとする課題］【０００３】  絶縁体及び加工がし易く頑丈な物質の材質で出来ている板状である、踏み板、接触板、の裏には電導性の優れた物質の板を貼り合わせて一体となっししている、その裏面には縦に上下する数本のバネを巻いた、又は（それに相当する反発力を有する物体）必要とする長さ、太さ、強さ等を有する支持棒（又は板と同等）と結合し一体をなしている。その下には支持棒のバネの底辺を固定し、支持棒が上下するに必要とする相当の大きさの穴を有している板が有り。この板と支持棒の板とが結ばれて一体になっている又、穴を有する板と電磁石板との両者の末端部分に絶縁体の物で結合している。上下をする支持棒はスイチ役も兼ねており、電源、スイッチが設けられている。常時本スイッチが入で電流が流れ電磁磁石になっている板が在る、支持棒には電流が流れるように配線をしており、踏み板、接触板に力が掛かると支持棒が下がり電磁石の面に接着し、スイッチが入りその電流は再生機（事前に再生ができる状態に設置をしている）に流れて、（例  助けてと言う）肉声を再生する。本電源のスイッチを切りにしない限り、電磁磁石の働きで支持棒を引着しているので再生を続行するこれらの音声のボリュームを最大限にする事により広範囲にわたり救助を求める事ができる物体である、、その形状を必要に応じ性能、機能を変えることができる物である、支持棒と電磁石の隙間は踏み板、接触板に力を加えない限り電磁石に接着しない様に出来ている、これは軽量、数個に部分分解、携帯化にすることもできる。持ち運び移動設置接触、押さえ、等に力を加えて警報機本体及び、それに付属する物体から再生された肉声で救助を知らせる機能のある携帯可能で軽量の防犯機、及び、警報機は見受けられないのが現状であると思う。現在多く使用されている、それらは紐つき、又はスイッチ付でポケット、又は、身の回りの近くにもち、非常時にはそれを活用するのに手間とそれをとりだし、紐を引くなりてスイッチを押すなりし、又、何処に在るかさえ迷うケースもある。またボル状で目的に向かって投げて当たるとそれに着色する方法。又最近は鉄砲型で目的に向かい発射し目的にあたると着色する方法があるがそれは只当たる確率が高いだけで、常時発射できる姿勢を持っていなくてはいけないので、それは少し不自然の姿勢である、ので使いにくい又、時と場合によっては悪用されることもありうる、いろいろな方法の防犯装置は存在するが、肉声の救助を発する物はないと思う。この様な不便さ、非常時に直ちに活用出来る、何か良い方法がないかと思考工夫をしたのが本発明である。この件を使用する事により、（例）ランドセルの帯びたいの表面に接触板を初めとする必要部分を面テープで取りつけて置き、非常時の時にそれを握ると握った力がスイッチ役の支持棒に伝わりそれが降り電磁石の板に接着し、スイッチが入り肉声が再生される（助けて痴漢と発する）。これにより救助を広範囲に渡り助けを求める事が出来る、この様に動作が迅速に出来るので便利である
［課題を解決するための手段］【０００４】  絶縁体及び加工がし易く頑丈な物質の材質で出来ている板状である、踏み板、接触板、の裏には電導性の優れた物質の板を貼り合わせて一体となっしている、その裏面には縦に上下する数本のバネを巻いた、又は（それに相当する反発力を有する物体）必要とする長さ、太さ、強さ等を有する支持棒（又は板と同等）と結合し一体をなしている。その下には支持棒のバネの底辺を固定し、支持棒が上下するに必要とする相当の大きさの穴を有している板が有り。この板と支持棒の板とが結ばれて一体になっている又、穴を有する板と電磁石板との両者の末端部分に絶縁体の物で結合している。上下をする支持棒はスイチ役も兼ねており、電源、スイッチが設けられている。常時本スイッチが入で電流が流れ電磁磁石になっている板が在る、支持棒には電流が流れるように配線をしており、踏み板、接触板に力が掛かると支持棒が下がり電磁石の面に接着し、スイッチが入りその電流は再生機（事前に再生ができる状態に設置をしている）に流れて、（例  助けてと言う）肉声を再生する。本電源のスイッチを切りにしない限り、電磁磁石の働きで支持棒を引着しているので再生を続行するこれらの音声のボリュームを最大限にする事により広範囲にわたり救助を求める事ができる物体である、、その形状を必要に応じ性能、機能を変えることができる物である、支持棒と電磁石の隙間は踏み板、接触板に力を加えない限り電磁石に接着しない様に出来ている、これは軽量、数個に部分分解、携帯化にすることもできる。持ち運び移動設置接触、押さえ、等に力を加えて警報機本体及び、それに付属する物体から再生された肉声で救助を知らせる機能のある携帯可能で軽量の防犯機、及び、警報機は見受けられないのが現状であると思う。現在多く使用されている、それらは紐つき、又はスイッチ付でポケット、又は、身の回りの近くにもち、非常時にはそれを活用するのに手間とそれをとりだし、紐を引くなりしてスイッチを押すなりし、又、何処に在るかさえ迷うケースもある。またボール状で目的に向かって投げて当たるとそれに着色する方法。又最近は鉄砲型で目的に向かい発射し目的にあたると着色する方法があるがそれは只当たる確率が高いだけで、常時発射できる姿勢を持っていなくてはいけないので、それは少し不自然の姿勢である、ので使いにくい又、時と場合によっては悪用されることもありうる、いろいろな方法の防犯装置は存在するが、肉声の救助を発する物はないと思う。この様な不便さ、非常時に直ちに活用出来る、何か良い方法がないかと思考工夫をしたのが本発明である。この件を使用する事により（例）ランドセルの帯びたいの表面に接触板を初めとする必要部分を面テープで取りつけて置き、非常時の時にそれを握ると握った力がスイッチ役の支持棒に伝わりそれが降り電磁石の板に接着し、スイッチが入り肉声が再生される（助けて痴漢と発する）これにより救助を広範囲に渡り助けを求める事が出来る、この様に動作が迅速に出来るので便利である
［発明の効果］【０００５】  絶縁体及び加工がし易く頑丈な物質の材質で出来ている板状である、踏み板、接触板、の裏には電導性の優れた物質の板を貼り合わせて一体となっしている、その裏面には縦に上下する数本のバネを巻いた、又は（それに相当する反発力を有する物体）必要とする長さ、太さ、強さ等を有する支持棒（又は板と同等）と結合し一体をなしている。その下には支持棒のバネの底辺を固定し、支持棒が上下するに必要とする相当の大きさの穴を有している板が有り。この板と支持棒の板とが結ばれて一体になっている又、穴を有する板と電磁石板との両者の末端部分に絶縁体の物で結合している。上下をする支持棒はスイチ役も兼ねており、電源、スイッチが設けられている。常時本スイッチが入で電流が流れ電磁磁石になっている板が在る、支持棒には電流が流れるように配線をしており、踏み板、接触板に力が掛かると支持棒が下がり電磁石の面に接着し、スイッチが入りその電流は再生機（事前に再生ができる状態に設置をしている）に流れて、（例  助けてと言う）肉声を再生する。本電源のスイッチを切りにしない限り、電磁磁石の働きで支持棒を引着しているので再生を続行するこれらの音声のボリュームを最大限にする事により広範囲にわたり救助を求める事ができる物体である、、その形状を必要に応じ性能、機能を変えることができる物である、支持棒と電磁石の隙間は踏み板、接触板に力を加えない限り電磁石に接着しない様に出来ている、これは軽量、数個に部分分解、携帯化にすることもできる。持ち運び移動設置接触、押さえ、等に力を加えて警報機本体及び、それに付属する物体から再生された肉声で救助を知らせる機能のある携帯可能で軽量の防犯機、及び、警報機は見受けられないのが現状であると思う。現在多く使用されている、それらは紐つき、又はスイッチ付でポケット、又は、身の回りの近くにもち、非常時にはそれを活用するのに手間とそれをとりだし、紐を引くなりしてスイッチを押すなりし、又、何処に在るかさえ迷うケースもある。またボール状で目的に向かって投げて当たるとそれに着色する方法。又最近は鉄砲型で目的に向かい発射し目的にあたると着色する方法があるがそれは只当たる確率が高いだけで、常時発射できる姿勢を持っていなくてはいけないので、それは少し不自然の姿勢である、ので使いにくい又、時と場合によっては悪用されることもありうる、いろいろな方法の防犯装置は存在するが、肉声の救助を発する物はないと思う。この様な不便さ、非常時に直ちに活用出来る、何か良い方法がないかと思考工夫をしたのが本発明である。この件を使用する事により（例）ランドセルの帯びたいの表面に接触板を初めとする必要部分を面テープで取りつけて置き、非常時の時にそれを握ると握った力がスイッチ役の支持棒に伝わりそれが降り電磁石の板に接着し、スイッチが入り肉声が再生される（助けて痴漢と発する）これにより救助を広範囲に渡り助けを求める事が出来る、この様に動作が迅速に出来るので便利である
［発明を実施するための最良の形態］【０００６】  絶縁体及び加工がし易く頑丈な物質の材質で出来ている板状である、踏み板、接触板、の裏には電導性の優れた物質の板を貼り合わせて一体となっしている、その裏面には縦に上下する数本のバネを巻いた、又は（それに相当する反発力を有する物体）必要とする長さ、太さ、強さ等を有する支持棒（又は板と同等）と結合し一体をなしている。その下には支持棒のバネの底辺を固定し、支持棒が上下するに必要とする相当の大きさの穴を有している板が有り。この板と支持棒の板とが結ばれて一体になっている又、穴を有する板と電磁石板との両者の末端部分に絶縁体の物で結合している。上下をする支持棒はスイチ役も兼ねており、電源、スイッチが設けられている。常時本スイッチが入で電流が流れ電磁磁石になっている板が在る、支持棒には電流が流れるように配線をしており、踏み板、接触板に力が掛かると支持棒が下がり電磁石の面に接着し、スイッチが入りその電流は再生機（事前に再生ができる状態に設置をしている）に流れて、（例  助けてと言う）肉声を再生する。本電源のスイッチを切りにしない限り、電磁磁石の働きで支持棒を引着しているので再生を続行するこれらの音声のボリュームを最大限にする事により広範囲にわたり救助を求める事ができる物体である、、その形状を必要に応じ性能、機能を変えることができる物である、支持棒と電磁石の隙間は踏み板、接触板に力を加えない限り電磁石に接着しない様に出来ている、これは軽量、数個に部分分解、携帯化にすることもできる。持ち運び移動設置接触、押さえ、等に力を加えて警報機本体及び、それに付属する物体から再生された肉声で救助を知らせる機能のある携帯可能で軽量の防犯機、及び、警報機は見受けられないのが現状であると思う。現在多く使用されている、それらは紐つき、又はスイッチ付でポケット、又は、身の回りの近くにもち、非常時にはそれを活用するのに手間とそれをとりだし、紐を引くなりしてスイッチを押すなりし、又、何処に在るかさえ迷うケースもある。またボール状で目的に向かって投げて当たるとそれに着色する方法。又最近は鉄砲型で目的に向かい発射し目的にあたると着色する方法があるがそれは只当たる確率が高いだけで、常時発射できる姿勢を持っていなくてはいけないので、それは少し不自然の姿勢である、ので使いにくい又、時と場合によっては悪用されることもありうる、いろいろな方法の防犯装置は存在するが、肉声の救助を発する物はないと思う。この様な不便さ、非常時に直ちに活用出来る、何か良い方法がないかと思考工夫をしたのが本発明である。この件を使用する事により（例）ランドセルの帯びたいの表面に接触板を初めとする必要部分を面テープで取りつけて置き、非常時の時にそれを握ると握った力がスイッチ役の支持棒に伝わりそれが降り電磁石の板に接着し、スイッチが入り肉声が再生される（助けて痴漢と発する）これにより救助を広範囲に渡り助けを求める事が出来る、この様に動作が迅速に出来るので便利である
【図面の簡単な説明】
【０００７】
【図１】  本発明品の斜視図
【符号の説明】
【０００８】  １    本体を収納している箱
２    電導性を持った物質を付けた踏み板、接触板
３    バネを巻いた支持棒
４    バネの底辺を固定、上下運動をする支持棒の往復じに通過をする穴を有する板
５    踏み板、接触板と穴を有する板を結合している部分
６    常時電流が流れ電磁石になっている板
７    配線図
８    電源（携帯も兼ねることが可能）
９    再生機（例  テープレコーダの再生スイッチ入り）
１０    本スイッチ
１１    電磁石板の末端部分と穴を有する板の末端部分とを絶縁物で結合している
１２    電磁石板の裏面に必要時に面テープを使用
【図１】
2007012011.tif 000003